(57)【要約】  本発明は、イベントトリガ型のＤＲＸサイクルの調整のための方法及び配置に関する。  移動体通信ネットワークのサービス提供セル内に位置するユーザ機器は、不連続受信モードで動作している際に、予決定された時間間隔でダウンリンク通信を監視する。また、ユーザ機器は、上記サービス提供セルと１つ以上の近傍セルとのうちの少なくとも１つについて通信パラメータ測定を実行する。ユーザ機器は、第１イベントの発生後に、測定データと第１イベント報告とのうちの少なくとも１つを上記ユーザ機器から上記ネットワークへ送信する。その送信は、上記第１イベントの発生を契機とする。そして、上記監視は、第２イベントの発生後に短縮された時間間隔で実行させられ、上記第２イベントは、上記第１イベントよりもハンドオーバ命令を受信する確率が高いことを示すように定義される。【選択図】図６
2010514343.tif 000002
【特許請求の範囲】
【請求項１】
移動体通信ネットワークのサービス提供セル内に位置するユーザ機器における方法であって：
不連続受信モードで動作している際に、予決定された時間間隔でダウンリンク通信を監視するステップと、
前記サービス提供セルと１つ以上の近傍セルとのうちの少なくとも１つについて通信パラメータ測定を実行するステップと、
第１イベントの発生後に、当該第１イベントの発生を契機として、測定データと第１イベント報告とのうちの少なくとも１つを前記ユーザ機器から前記ネットワークへ送信するステップと、
を含み、
前記監視は、第２イベントの発生後に短縮された時間間隔で実行されることと、
前記第２イベントは、前記第１イベントよりもハンドオーバ命令を受信する確率が高いことを示すように定義されることと、
を特徴とする方法。
【請求項２】
前記第１イベント及び前記第２イベントは、前記パラメータ測定に関連するように定義される、請求項１に記載の方法。
【請求項３】
前記第２イベントは、前記サービス提供セルと近傍セルとの間の測定されたダウンリンク信号品質における差異が予決定されたレベルに到達した場合に発生する、請求項１又は請求項２に記載の方法。
【請求項４】
前記第２イベントは、測定されたダウンリンク信号品質の劣化が予決定されたレベルを超える場合、又は前記ユーザ機器による送信電力が予決定されたレベルを上回る場合に発生する、請求項１又は請求項２に記載の方法。
【請求項５】
前記第２イベントは、前記ユーザ機器による送信電力が予決定されたレベルを上回り、及び測定されたダウンリンク信号品質が予決定されたレベルを下回る場合に発生する、請求項１又は請求項２に記載の方法。
【請求項６】
短縮された時間間隔での前記監視が、前記第２イベントの発生から予決定された期間の後に行われる、請求項１〜５のいずれか一項に記載の方法。
【請求項７】
前記パラメータの測定が前記第２イベントの発生から前記予決定された期間の間実行されることにより、当該予決定された期間の間前記第２イベントについての条件が満たされていることが検証される、請求項６に記載の方法。
【請求項８】
前記第２イベントは、前記ネットワークにより構成される、請求項１〜７のいずれか１項に記載の方法。
【請求項９】
前記第２イベントが発生した後の前記短縮された時間間隔は、前記ネットワークにより設定される、請求項１〜８のいずれか１項に記載の方法。
【請求項１０】
前記予決定された時間間隔は、予決定されたＤＲＸサイクルに相当する、請求項１〜９のいずれか１項に記載の方法。
【請求項１１】
移動体通信ネットワークのサービス提供セル内の基地局における方法であって：
前記セル内のユーザ機器は、不連続受信モードで動作している際に予決定された時間間隔でダウンリンク通信を監視し、及び前記サービス提供セルと１つ以上の近傍セルとのうちの少なくとも１つについて通信パラメータ測定を実行し、
前記方法は、
前記ユーザ機器内の第１イベントであって、当該第１イベントの発生が測定データと第１イベント報告とのうちの少なくとも１つを前記ユーザ機器から前記基地局へ送信する契機となる当該第１イベントを構成するステップと、
を含み、
前記ユーザ機器内の第２イベントであって、当該第２イベントの発生により前記監視が短縮された時間間隔で行われる当該第２イベントを構成するステップを含むことと、
前記第２イベントは、前記第１イベントよりも前記ユーザ機器へハンドオーバ命令を送信する確率が高いことを示すように定義されることと、
を特徴とする方法。
【請求項１２】
前記第１イベント及び前記第２イベントは、前記パラメータ測定に関連するように定義される、請求項１１に記載の方法。
【請求項１３】
前記第２イベントは、前記サービス提供セルと近傍セルとの間の測定されたダウンリンク信号品質における差異が設定されたレベルに到達した場合に発生する、請求項１１又は請求項１２に記載の方法。
【請求項１４】
前記第２イベントは、測定されたダウンリンク信号品質の劣化が予決定されたレベルを超える場合、又は前記ユーザ機器による送信電力が予決定されたレベルを上回る場合に発生する、請求項１１又は請求項１２に記載の方法。
【請求項１５】
前記第２イベントは、前記ユーザ機器による送信電力が予決定されたレベルを上回り、及び測定されたダウンリンク信号品質が予決定されたレベルを下回る場合に発生する、請求項１１又は請求項１２に記載の方法。
【請求項１６】
短縮された時間間隔での前記監視が、前記第２イベントの発生から予決定された期間の後に行われる、請求項１１〜１５のいずれか一項に記載の方法。
【請求項１７】
パラメータの測定が前記第２イベントの発生から前記予決定された期間の間実行されることにより、当該予決定された期間の間前記第２イベントについての条件が満たされていることが検証される、請求項１６に記載の方法。
【請求項１８】
前記第２イベントが発生した後の前記短縮された時間間隔を設定するステップ、をさらに含む、請求項１１〜１７のいずれか１項に記載の方法。
【請求項１９】
前記予決定された時間間隔は、予決定されたＤＲＸサイクルに相当する、請求項１１〜１８のいずれか１項に記載の方法。
【請求項２０】
移動体通信ネットワークのサービス提供セル内に位置するユーザ機器であって、
不連続受信モードで動作している際に、予決定された時間間隔でダウンリンク通信を監視するための手段と、
前記サービス提供セルと１つ以上の近傍セルとのうちの少なくとも１つについて通信パラメータ測定を実行するための手段と、
第１イベントの発生後に、当該第１イベントの発生を契機として、測定データと第１イベント報告とのうちの少なくとも１つを前記ユーザ機器から前記ネットワークへ送信するための手段と、
を備え、
第２イベントの発生後に短縮された時間間隔で前記監視を実行させるための手段を備えることと、
前記第２イベントは、前記第１イベントよりもハンドオーバ命令を受信する確率が高いことを示すように定義されることと、
を特徴とするユーザ機器。
【請求項２１】
前記第１イベント及び前記第２イベントは、前記パラメータ測定に関連するように定義される、請求項２０に記載のユーザ機器。
【請求項２２】
前記第２イベントは、前記サービス提供セルと近傍セルとの間の測定されたダウンリンク信号品質における差異が予決定されたレベルに到達した場合に発生する、請求項２０又は請求項２１に記載のユーザ機器。
【請求項２３】
前記第２イベントは、測定されたダウンリンク信号品質の劣化が予決定されたレベルを超える場合、又は前記ユーザ機器による送信電力が予決定されたレベルを上回る場合に発生する、請求項２０又は請求項２１に記載のユーザ機器。
【請求項２４】
前記第２イベントは、前記ユーザ機器による送信電力が予決定されたレベルを上回り、及び測定されたダウンリンク信号品質が予決定されたレベルを下回る場合に発生する、請求項２０又は請求項２１に記載のユーザ機器。
【請求項２５】
前記監視するための手段は、前記第２イベントの発生から予決定された期間の後に前記短縮された時間間隔での監視をする、請求項２０〜２４のいずれか一項に記載のユーザ機器。
【請求項２６】
前記通信パラメータ測定を実行するための手段は、前記予決定された期間の間パラメータ測定を実行し、
前記ユーザ機器は、さらに、
前記パラメータ測定に基づいて、前記予決定された期間の間前記第２イベントについての条件が満たされていることを検証するための手段、
を備える、請求項２５に記載のユーザ機器。
【請求項２７】
前記第２イベントを前記ネットワークにより構成させることを可能とするための手段、を備える、請求項２０〜２６のいずれか１項に記載のユーザ機器。
【請求項２８】
前記第２イベントが発生した後の前記短縮された時間間隔を前記ネットワークにより設定させることを可能とする手段、を備える、請求項２０〜２７のいずれか１項に記載のユーザ機器。
【請求項２９】
前記予決定された時間間隔は、予決定されたＤＲＸサイクルに相当する、請求項２０〜２８のいずれか１項に記載のユーザ機器。
【請求項３０】
移動体通信ネットワークのサービス提供セル内の基地局であって、
前記セル内のユーザ機器は、不連続受信モードで動作している際に予決定された時間間隔でダウンリンク通信を監視し、及び前記サービス提供セルと１つ以上の近傍セルとのうちの少なくとも１つについて通信パラメータ測定を実行し、
前記基地局は、
前記ユーザ機器内の第１イベントであって、当該第１イベントの発生が測定データと第１イベント報告とのうちの少なくとも１つを前記ユーザ機器から前記基地局へ送信する契機となる当該第１イベントを構成するための手段、
を備え、
前記ユーザ機器内の第２イベントであって、当該第２イベントの発生により前記監視が短縮された時間間隔で行われる当該第２イベントを構成するための手段を備えることと、
前記第２イベントは、前記第１イベントよりも前記ユーザ機器へハンドオーバ命令を送信する確率が高いことを示すように定義されることと、
を特徴とする基地局。
【請求項３１】
前記第１イベント及び前記第２イベントは、前記パラメータ測定に関連するように定義される、請求項３０に記載の基地局。
【請求項３２】
前記サービス提供セルと近傍セルとの間の測定されたダウンリンク信号品質における差異が設定されたレベルに到達した場合に前記第２イベントが発生するように当該第２イベントを構成するための手段、を備える、請求項３０又は請求項３１に記載の基地局。
【請求項３３】
測定されたダウンリンク信号品質の劣化が予決定されたレベルを超える場合、又は前記ユーザ機器による送信電力が予決定されたレベルを上回る場合に前記第２イベントが発生するように当該第２イベントを構成するための手段、を備える、請求項３０又は請求項３１に記載の基地局。
【請求項３４】
前記ユーザ機器による送信電力が予決定されたレベルを上回り、及び測定されたダウンリンク信号品質が予決定されたレベルを下回る場合に前記第２イベントが発生するように当該第２イベントを構成するための手段、を備える、請求項３０又は請求項３１に記載の基地局。
【請求項３５】
短縮された時間間隔での前記監視が前記第２イベントの発生から予決定された期間の後に行われるように構成するための手段、を備える、請求項３０〜３４のいずれか一項に記載の基地局。
【請求項３６】
パラメータの測定を前記第２イベントの発生から前記予決定された期間の間継続して実行させることにより、当該予決定された期間の間前記第２イベントについての条件が満たされていることを検証するように構成するための手段、を備える、請求項３５に記載の基地局。
【請求項３７】
前記第２イベントが発生した後の前記短縮された時間間隔を設定するための手段、を備える、請求項３１〜３６のいずれか１項に記載の基地局。
【請求項３８】
前記予決定された時間間隔は、予決定されたＤＲＸサイクルに相当する、請求項３１〜３７のいずれか１項に記載の基地局。
【発明の詳細な説明】
【技術分野】
【０００１】
本発明は、一般的に、通信システムにおける方法及び配置に関し、より具体的には、イベントトリガ型のＤＲＸサイクルの調整のための方法及び配置に関する。
【背景技術】
【０００２】
本明細書において、特に、次の定義及び省略が後に使用される。
ＡＳＩＣ（Application  Specific  Integrated  Circuit）：特定用途向け集積回路
ＣＰＩＣＨ  Ｅｃ／Ｎｏ（The  received  energy  per  chip  divided  by  the  power  density  in  the  band）：帯域内の電力密度で除算されたチップ別の受信エネルギー
ＣＰＩＣＨ  ＲＳＣＰ（Common  Pilot  Channel  Received  Signal  Code  Power）：共通パイロットチャネルの受信信号符号電力
ＤＲＸ（Discontinuous  Reception）：不連続受信
ＤＴＸ（Discontinuous  Transmission）：不連続送信
ｅＮＢ（E-UTRAN  NodeB）：Ｅ−ＵＴＲＡＮのノードＢ
Ｅ−ＵＴＲＡ（Evolved  UTRA）：進化型のＵＴＲＡ
Ｅ−ＵＴＲＡＮ（Evolved  UTRAN）：進化型のＵＴＲＡＮ
ＦＤＤ（Frequency  Division  Duplex）：周波数分割複信
ＬＴＥ（Long  Term  Evolution）：ロング・ターム・エボリューション
ＭＡＣ（Medium  Access  Control）：メディアアクセス制御
ＲＲＣ（Radio  Resource  Control）：無線リソース制御
ＲＲＭ（Radio  Resource  Management）：無線リソース管理
ＲＳＲＰ（Reference  Signal  Received  Power）：リファレンス信号受信電力
ＲＳＲＱ（Reference  Signal  Received  Quality）：リファレンス信号受信品質
ＳＩＮＲ（Signal  to  Interference  plus  Noise  Ratio）：信号対干渉及び雑音比
ＵＥ（User  Equipment）：ユーザ機器
ＵＴＲＡ（Universal  Terrestrial  Radio  Access）：ユニバーサル地上波無線アクセス
ＵＴＲＡＮ（Universal  Terrestrial  Radio  Access  Network）：ユニバーサル地上波無線アクセスネットワーク
ＴＴＩ（Transmission  Time  Interval）：送信時間間隔
ＷＣＤＭＡ（Wide  band  Code  Division  Multiple  Access）：広帯域符号分割多元接続
【０００３】
ＵＴＲＡＮ（Universal  Terrestrial  Radio  Access  Network）は、ＲＮＣｓ（Radio  Network  Controllers：無線ネットワークコントローラ）と複数のノードＢとにより構成されるネットワークの一部を特定する概念的な用語である。この通信ネットワークは、共通的に、３Ｇとして言及される。進化型のＵＴＲＡＮ（Ｅ−ＵＴＲＡＮ：Evolved  UTRAN）は、高いデータレート、低遅延及びパケット最適な無線アクセスネットワークを目指す３Ｇ無線アクセスネットワークの進化形である。
【０００４】
３ＧＰＰ  ＴＳ  ３６．３００，ｖ０．３．１（２００６−１１）の文書は、Ｅ−ＵＴＲＡＮ無線インタフェースプロトコルのアーキテクチャについての概要と全体的な説明とを提供する。
【０００５】
Ｅ−ＵＴＲＡＮは、基本的には、パケット指向のシステムである。これは、ユーザがデータを不連続な形で送受信することを意味する。１つの重要な示唆は、ある所与の時間において全てのユーザがアクティブではない（即ち、全てのアクティブなユーザが同時に通信するわけではない）ことである。パケット送信のこの固有の特徴は、Ｅ−ＵＴＲＡＮシステムにおいて最大限に活用されることが意図されている。
【０００６】
パケット送信の１つの重要な側面は、不連続送信（ＤＴＸ：Discontinuous  Transmission）及び不連続受信（ＤＲＸ：Discontinuous  Reception）である。Ｅ−ＵＴＲＡＮは、第１に、回路交換型の送信が行われないパケット指向のシステムである。これは、Ｅ−ＵＴＲＡＮがパケット送信のために容易に最適化され得ることを意味する。Ｅ−ＵＴＲＡＮにおいて導入された１つの重要な特徴は、ＵＥがＤＲＸモードに移行する可能性があることである。Ｅ−ＵＴＲＡＮにおいて、コアネットワークにおいて記憶されるコンテキストを伴う３つのＵＥの状態がある：
・ＬＴＥ＿ＤＥＴＡＣＨＥＤ
・ＬＴＥ＿ＩＤＬＥ
・ＬＴＥ＿ＡＣＴＩＶＥ
なお、後者の２つの状態は、ＲＲＣコンテキストも有する。従って、無線リソース割当て及び使用の観点からは、後者の２つの状態は最も興味深いものであり、そのため以下にさらに説明される。
【０００７】
ＬＴＥ＿ＩＤＬＥ状態では、ＵＥは、割当てられたＤＲＸサイクル長及び自律セル再選択（autonomous  cell  reselection）に従い、ＤＲＸ時点（DRX  instant）のみにおいて（例えば、ページング情報の手段により）ネットワークをリスニングし、ダウンリンク測定を実行する。ＵＥは、データを受信するために、ＬＴＥ＿ＡＣＴＩＶＥ状態へと移行する必要がある。この点は、全ての移動体システムにとって、ＵＥによる電源の節約を可能とするための重要な特徴である
【０００８】
ＬＴＥ＿ＡＣＴＩＶＥ状態では、ＵＥは、いつでもデータを送受信することができる。これは、ネットワークが、必要なときにユーザをスケジューリングできるように、セルレベルで全体のＲＲＣコンテキストを維持することを示唆している。（この理由のために、当該状態は、ＲＲＣレベルにおけるＲＲＣ接続状態（RRC connected state）とも呼ばれる。）ＬＴＥ＿ＡＣＴＩＶＥ状態は、活動の程度が低い場合のＵＥの電源消費の節約を目的とするＤＴＸ／ＤＲＸモードと呼ばれる補助状態（sub-state）を有する。非アクティブなある期間の後、ＵＥは、当該補助状態に移行し、ネットワークにより割当てられたＤＲＸサイクルに従って、ダウンリンクで送信された情報の定期的な間隔のみでの監視を開始する。この場合のＤＲＸサイクルは、典型的には、５ｍｓから１乃至５秒までの間で変化し得る。なお、パケットの非アクティブ期間（inactivity）がより長い場合には、ＵＥは、好適にはアイドルモードへ移行すべきである。
【０００９】
上述したこのような種類のＤＲＸ／ＤＴＸモードの利点は、一方では効率的なＵＥの電源の節約が可能となり、また他方ではネットワークが通話設定手続の手法により生じる不要な遅延なく迅速にＵＥをスケジューリングできることである。ＲＲＣ接続状態におけるこのＤＲＸ／ＤＴＸ補助状態の概念は、連続パケット接続性（continuous  packet  connectivity）におけるＵＴＲＡＮにおいても使用されており、そこには純粋にパケット指向の送信が含まれる。
【００１０】
ダウンリンクスケジューリング情報は、ＵＥにダウンリンクデータ送信をどのように処理するかを通知するために使用される。スケジューリング情報は、ＵＥ識別情報、リソース割当て、割当て期間、変調方式などを含んでよく、主にレイヤ１（物理層）及びレイヤ２（ＭＡＣ層）の内容を含む共有制御チャネル上を送信され得る。一般的に、本情報は、サブフレームごと（０．５ｍｓ）又は少なくともＴＴＩ（例えば１ｍｓ）ごとに送信される。従って、ＬＴＥ＿ＡＣＴＩＶＥモードにおけるＵＥは、本情報をサブフレームごと、又はスケジューリング情報送信の周期性に依存するＴＴＩごとに、当該情報を監視する必要があり得る。
【００１１】
ＬＴＥ＿ＡＣＴＩＶＥ状態におけるハンドオーバは、ネットワークにより制御される。これは、ＵＥがイベントへの応答としてネットワークに測定量を報告することを意味する。イベントは、１つ以上のパラメータがある１つの値又は複数の値をとる場合に生じる。イベントは、例えば、１つのパラメータがある値に単独で到達し、又は１つのパラメータが１つの値に到達すると共に他のパラメータが他の値に到達した場合（即ち、様々なパラメータ値の組み合わせ）に生じるように構成されてもよい。当該イベント及び／又は測定量の報告は、より多くの測定（例えば、他のキャリア周波数又は他の技術）のためのアイドルギャップの契機となり、又はハンドオーバをもたらす。アイドルギャップの間、ＵＥは、測定を実行するために、他のＥ−ＵＴＲＡキャリア周波数又は他のアクセス技術（例えばＵＴＲＡＮ又はＧＥＲＡＮ）のキャリア周波数へその受信部をチューニングする。このような測定を実行している間、ＵＥは、サービス提供Ｅ−ＵＴＲＡのキャリア周波数上でどういったデータもシグナリング情報も受信又は送信しない。ハンドオーバの場合、ＵＥは、ネットワークからハンドオーバ命令を受信する。ＬＴＥ＿ＡＣＴＩＶＥ状態でのＤＲＸモードにおいては、ＵＥは、ＤＲＸ時点のみ、即ちＵＥがアクティブになるときにのみ、どういったネットワーク情報（例えばハンドオーバ命令のスケジューリング）も受信することができる。また、長いＤＲＸサイクル（例えば２又は３秒）の場合には、ハンドオーバ命令の受信は、遅延し得る。しかし、良好なシステム性能（低いハンドオーバ遅延）を保証するためには、ＵＥ測定報告及びハンドオーバ命令の受信の双方は、遅延すべきでない。同時に、ＤＲＸモードの特性は、効率的なＵＥの電源消費を保証するように維持されるべきである。
【００１２】
Ｅ−ＵＴＲＡＮでは、ＵＥは、ＬＴＥ＿ＡＣＴＩＶＥ状態において、ネットワークにより構成されたイベント基準又は条件が充足された際に、構成されたイベントと対応するダウンリンク測定量とを送信する。また、上で示したように、ＵＥは、ＬＴＥ＿ＡＣＴＩＶＥ状態において、ＤＲＸ時点のみにおいてダウンリンクスケジューリングチャネルを監視するＤＲＸモードで動作し得る。そして、ハンドオーバ遅延を防ぐために、イベント発生に際して、ＵＥが次のアクティブ期間を待つことなくできる限り迅速に測定量及びイベントを報告することが合意されている。
【００１３】
他の重要な側面は、イベントトリガによる測定報告への応答としてのハンドオーバ命令の伝達である。ＵＥは、ＤＲＸ時点のみにおいて定期的にリスニングをするため、特にＤＲＸサイクルが長い場合には、それは不必要にハンドオーバ命令の受信を遅延させ得る。しかし、低ハンドオーバ遅延を保証するために、ハンドオーバ命令は、必要とされる都度、可能な限り早くＵＥに伝達されるべきである。従って、ＵＥがそのＤＲＸ動作を各イベントトリガの測定報告の後に中断し、継続的又は予設定された短いＤＲＸサイクルに従ってのスケジューリング制御チャネルの監視を開始することについても、合意がなされている。これは、ネットワークがハンドオーバ命令を送信する目的のためにＵＥを即座にスケジューリングすることを可能にする。この手法の１つの大きな欠点は、ネットワークがハンドオーバ命令を送信しない場合に、ＵＥの電源が非効率的に使用されることである。
【００１４】
イベントトリガによる測定報告への応答としてネットワークがハンドオーバ命令を送信しない理由は複数存在する：
・ネットワークは、より低い閾値を設定して、ネットワーク性能の監視のためにより頻繁にイベントを取得し得る（例えば、運用及びメンテナンスの問題）。
・他の理由として、イベントトリガによる報告は直接的にハンドオーバにつながらず、むしろギャップ支援（gap-assisted）測定（例えば、他の周波数又は他のアクセス技術における測定）の契機となる。
・特定のＵＥの測定報告は、輻輳制御などのようなハンドオーバ以外のＲＲＭ機能のためにも利用され得る
・実装に依存し、全ての測定量がハンドオーバの契機とはならず、又は少なくともいくつかの測定量は直接的にハンドオーバの契機とならない。ＷＣＤＭＡにおける一例として、ＵＥの送信電力の報告（及び対応するイベント）は、ネットワークにおいて圧縮モードの契機となるように使用される。ＵＴＲＡＮは、他のＦＤＤ周波数上、並びに他のモード及び無線アクセス技術上でセルを監視するために圧縮モードを必要とするか否かを定義するＵＥの機能に依存し、ＵＥが圧縮モードへ移行することを命令することができる。
・特定の実装に依存し、ネットワークは、測定量の組み合わせ、例えばＵＥの送信電力及びダウンリンクの受信ＳＩＮＲなどに応じて、ハンドオーバを実行し得る。
【００１５】
従って、ネットワークがイベントトリガによる測定報告への応答としてハンドオーバ命令を送信しない多くの場合があり、それに続く制御チャネルの監視は、従来技術の解決策における電源の余分な消費をもたらす。
【発明の概要】
【発明が解決しようとする課題】
【００１６】
本発明の目的は、従来技術の上述した欠点のいくつか又は全てを克服し、又は少なくとも緩和することである。具体的には、本発明の目的は、例えばＤＲＸサイクルとして与えられる予決定された時間間隔でのダウンリンク通信の監視を行うユーザ機器における、低電力消費と高速なハンドオーバ命令の受信との間の対立を緩和する技術を達成することである。
【課題を解決するための手段】
【００１７】
以下の説明から明らかなこれら及び他の目的は、添付した独立項に応じたユーザ機器における方法、基地局における方法、ユーザ機器、及び基地局の手段により完全に又は部分的に達成される。好適な実施形態は、従属項において定義される。
【００１８】
当該発明は、不必要な制御チャネルの監視を原因とするＵＥにおける余分な電源消費の問題を、他の場合からハンドオーバ命令の受信の場合を区別することを追求することにより、解決する。
【００１９】
これは、その場合に特に関連する新たな、追加的イベントの定義によって達成される。
【００２０】
ＵＥの電源消費の観点からは、この高確率のハンドオーバを示す固有のイベントを有することが有益である。この固有のイベントの設定においてのみ、ＵＥは、例えばＤＲＸ動作を度外視して非ＤＲＸモードに移行するなどして、短縮された時間間隔での監視を実行するべきである。非ＤＲＸモードでは、ダウンリンクスケジューリング制御チャネルの継続的な監視が開始される。
【００２１】
ＵＥは、ハンドオーバ命令を受信する可能性がより高い場合においてのみ、例えば、継続的に、又は予設定されたより短いＤＲＸサイクルに従って、短縮された時間間隔でスケジューリング制御チャネルを監視する（即ち、非ＤＲＸモード）。これは、ＵＥが、通常の測定報告への応答としては、例えば非ＤＲＸモードに移行して短い時間間隔でダウンリンク通信を監視しないことを意味する。従って、背景欄で説明したもとの第１のイベントの発生によっては、短い時間間隔での監視が実行されることにはならない。その代わりに、ＵＥは、その目的のために特に意味づけされたイベントへの応答としてのみ、例えば非ＤＲＸモードへ移行することにより、短縮された時間間隔でのスケジューリング制御チャネルの監視を行う。
【００２２】
よって、本発明は、ダウンリンク通信を短縮された時間間隔で監視する契機、例えばハンドオーバ命令の受信のためのＵＥにおける非ＤＲＸモードの契機となる、区別されたイベントを定義する。言い換えれば、通常の測定報告は、直接的には、短縮された時間間隔、あるいは例えば非ＤＲＸ動作とリンクしない。これは、全ての測定報告が直接的にハンドオーバをもたらすわけではないためである。それにより、より良好なＵＥの電力の節約が可能となる。
【００２３】
１つの側面において、本発明は、移動体通信ネットワークのサービス提供セル内に位置するユーザ機器における方法に関する。その方法によれば、ユーザ機器が不連続受信モードで動作している際に、予決定された時間間隔でダウンリンク通信が監視される。また、上記サービス提供セルと１つ以上の近傍セルとのうちの少なくとも１つについて、通信パラメータ測定が実行される。また、第１イベントの発生後に、測定データと第１イベント報告とのうちの少なくとも１つが上記ユーザ機器から上記ネットワークへ送信される。かかる送信は、当該第１イベントの発生を契機として行われる。さらに、上記監視は、第２イベントの発生後に短縮された時間間隔で実行される。上記第２イベントは、上記第１イベントよりもハンドオーバ命令を受信する確率が高いことを示すように定義される。
【００２４】
第２の観点において、本発明は、移動体通信ネットワークのセル内の基地局における方法に関する。上記セル内のユーザ機器は、不連続受信モードで動作している際に予決定された時間間隔でダウンリンク通信を監視し、及び上記サービス提供セルと１つ以上の近傍セルとのうちの少なくとも１つについて通信パラメータ測定を実行する。その方法によれば、上記ユーザ機器内の第１イベントが構成される。当該第１イベントの発生は、測定データと第１イベント報告とのうちの少なくとも１つを上記ユーザ機器から上記基地局へ送信する契機となる。また、上記方法は、上記ユーザ機器内の第２イベントを構成するステップを含む。当該第２イベントの発生により、上記監視が短縮された時間間隔で行われる。上記第２イベントは、上記第１イベントよりも上記ユーザ機器へハンドオーバ命令を送信する確率が高いことを示すように定義される。
【００２５】
本発明の第３の側面によれば、移動体通信ネットワークのサービス提供セル内に位置するユーザ機器が提供される。そのユーザ機器は、不連続受信モードで動作している際に、予決定された時間間隔でダウンリンク通信を監視するための手段を備える。また、上記サービス提供セルと１つ以上の近傍セルとのうちの少なくとも１つについて通信パラメータ測定を実行するための手段も備えられる。
【００２６】
さらに、第１イベントの発生後に、測定データと第１イベント報告とのうちの少なくとも１つを上記ユーザ機器から上記ネットワークへ送信するための手段も備えられる。その送信は、上記第１イベントの発生を契機として行われる。上記ユーザ機器は、第２イベントの発生後に短縮された時間間隔で上記監視を実行させるための手段も備える。上記第２イベントは、上記第１イベントよりもハンドオーバ命令を受信する確率が高いことを示すように定義される。この第３の側面に従って利用される手段とは、必要なアンテナ及び無線機器など、全て当業者にとってよく知られた標準的なユーザ機器のコンポーネント群である。また、短縮された時間間隔で実行される監視の契機となるための手段は、例えば、ユーザ機器内の１つ以上のプロセッサ上で実行されるソフトウェアであってよい。その代わりに、当該手段は、１つ以上のＡＳＩＣなどとしてのハードウェアにより実装されてもよい。
【００２７】
第４の側面において、本発明は、移動体通信ネットワークのセル内の基地局に関する。上記セル内のユーザ機器は、不連続受信モードで動作している際に予決定された時間間隔でダウンリンク通信を監視し、及び上記サービス提供セルと１つ以上の近傍セルとのうちの少なくとも１つについて通信パラメータ測定を実行する。その基地局は、上記ユーザ機器内の第１イベントであって、当該第１イベントの発生が測定データと第１イベント報告とのうちの少なくとも１つを上記ユーザ機器から上記基地局へ送信する契機となる当該第１イベントを構成するための手段を備える。また、上記ユーザ機器内の第２イベントであって、当該第２イベントの発生により上記監視が短縮された時間間隔で行われる当該第２イベントを構成するための手段も備えられる。上記第２イベントは、上記第１イベントよりも上記ユーザ機器へハンドオーバ命令を送信する確率が高いことを示すように定義される。この第４の側面に従って利用される手段とは、アンテナ及び無線機器など、全て当業者にとってよく知られた標準的な基地局のコンポーネント群である。また、例えば、無線基地局内のプロセッサ上で実行されるソフトウェアが、それぞれ第１及び第２イベントをどのように構成するかなどの論理的動作のために使用されてもよい。
【発明の効果】
【００２８】
本発明は、ユーザ機器においてハンドオーバ命令を受信する可能性が高い場合に生じる新たな第２イベントを定義することにより、ＵＥの電源の節約のより効率的な使用を可能とするという利点を提供する。
【００２９】
本発明の他の利点は、多くの異なるパラメータ及び対応するパラメータ値が短縮された時間間隔でのダウンリンク通信の監視の契機として使用され得ることから、閾値設定の観点で、より高い柔軟性がネットワークに提供されることである。
【００３０】
本発明のまた別の利点は、ハンドオーバ以外の目的（例えば、Ｏ＆Ｍ、ギャップ支援測定、輻輳制御など）のための固有のＵＥ測定の使用の観点で、より高い柔軟性がネットワークに提供され、それでも良好なＵＥの電源の節約を保証できることである。
【００３１】
本発明の他の利点は、対応する測定及びハンドオーバ命令の方式が利用されていれば、ＷＣＤＭＡ又はＧＳＭネットワークなどのようなＥ−ＵＴＲＡＮ以外の通信ネットワーク標準についても本発明を使用できることである。
【００３２】
本発明のさらなる目的、特徴、側面及び利点は、以下の詳細な開示から、添付された独立項から、及び図面から明らかとなる。
【図面の簡単な説明】
【００３３】
本発明の例示的な実施形態について、添付図面を参照しながらより詳細に説明する。
【００３４】
【図１】本発明の実施形態が使用され得る一般的なアーキテクチャを概略的に示している。
【図２】本発明の実施形態が使用され得るユーザ機器を概略的に示している。
【図３】本発明の実施形態が使用され得る無線基地局を概略的に示している。
【図４】本発明の一実施形態に係るユーザ機器内の方法の一般的な流れのブロック図を示している。
【図５】本発明の一実施形態に係る基地局内の方法の一般的な流れのブロック図を示している。
【図６】本発明の一実施形態の概念図である。
【図７】本発明の一実施形態に従ったハンドオーバ命令の受信のための非ＤＲＸモードへ移行するＵＥにおけるイベントの構成を示している。
【図８】本発明の一実施形態に従ったＤＲＸモードにおけるイベント報告及びハンドオーバ命令の受信の一例を示している。
【図９】本発明の一実施形態に従ったハンドオーバ命令を受信するための非ＤＲＸモードへの切替えを示している。
【発明を実施するための形態】
【００３５】
図１は、本発明の実施形態が使用され得る一般的なアーキテクチャを示している。移動局１０あるいはユーザ機器（ＵＥ：User  Equipment）は、移動体通信ネットワークの通信領域（coverage）の中に位置している。当該ＵＥは、基地局２０あるいはＬＴＥの場合にはＥ−ＵＴＲＡＮノードＢ：ｓ（ｅＮＢ：ｓ）と通信する。基地局２０あるいはＥ−ＵＴＲＡＮノードＢは、一般にはセル３０として言及される固有の通信領域の範囲を無線ネットワークに提供する。ＵＥが所与の時点において存在するセル３０は、サービス提供セル（serving  cell）として言及される。近傍セルは、サービス提供セルと隣り合うように位置する。ｅＮＢｓは、相互接続され、またＥＰＣ（(Evolved  Packet  Core）と、より具体的にはＭＭＥ（Mobility  Management  Entity：移動体管理エンティティ）及びＳ−ＧＷ（Serving Gateway：サービス提供ゲートウェイ)と接続される。無線リソース制御（ＲＲＣ：Radio  Resource  Control）はｅＮＢで終端し、測定の構成はｅＮＢ内に存在するＲＲＣを介して行われる。図２は、ＵＥ１０を概略的に示しており、ＵＥ１０は、アンテナ配置、無線機器、例えばマイクロプロセッサ、ＣＰＵ又は類似する処理若しくは計算手段として実装され得る論理ユニット、及び何らかの種類のデータ記憶ユニット又はメモリユニットなどの、標準的な無線デバイスコンポーネント群を備える。当業者であれば、ユーザ機器はこれら及び他のコンポーネントを備えるものであり、従ってそれらはこれ以上に本出願において説明されないことを理解するであろう。図２におけるＵＥ１０は、予決定された時間間隔でダウンリンク通信を監視するための手段１１１、通信パラメータ測定を実行するための手段１１２、ＵＥ１０からネットワークへ測定データを送信するための手段１１３を備え、その送信は、第１イベントの発生を契機として行われる。また、ＵＥ１０は、第２イベントの発生後に短縮された時間間隔で監視を実行させるための手段１１４を備え、その第２イベントは、上記第１イベントよりもハンドオーバ命令を受信する可能性が高いことを示すように定義される。
【００３６】
図３は、本発明と関連して使用され得るネットワーク無線基地局２０を概略的に示している。無線基地局２０は、ネットワークインタフェース、アンテナ配置、無線機器、例えばマイクロプロセッサ、ＣＰＵ又は類似する処理若しくは計算手段として実装され得る論理ユニット、及び何らかの種類のデータ記憶ユニット又はメモリユニットなどの、標準的な無線基地局コンポーネント群を備える。図３における当該無線基地局２０は、ＵＥ１０における第１イベントを構成するための手段２１１を備え、当該第１イベントの発生はＵＥから基地局への測定データの送信の契機となる。また、無線基地局２０は、ＵＥ１０における第２イベントを構成するための手段２１２を備え、当該第２イベントの発生は短縮された時間間隔での監視を実行させることとなる。その第２イベントは、第１イベントよりも高いハンドオーバ命令の送信の確率を示すように定義される。さらに、無線基地局２０は、第１イベント及び第２イベントをパラメータ測定に関連して定義するための手段２１３を備える。例えば、手段２１３は、本発明の実施形態によれば、例えば測定されたダウンリンク品質及び／又はユーザ機器の送信電力があるレベルに到達したときに第２イベントが発生するよう構成する形で使用されてもよい。イベントの構成は、無線基地局が例えばそのイベントに対応する閾値レベルや契機となる時間などの特定のパラメータのセットをユーザ機器に信号伝達することを示唆し得る。
【００３７】
図４は、本発明の実施形態に従って実行されるＵＥ１０内の方法のステップを示している。まず、ｓ１００において、ＵＥ１０は、予決定された時間間隔でダウンリンク通信を監視する。ｓ１１０では、ＵＥ１０は、通信パラメータ測定を実行する。そして、ｓ１２０において、ＵＥ１０は、測定したデータ及び／又は第１イベントの報告をネットワークへ送信する。送信は、第１イベントの発生を契機として行われる。ｓ１３０では、監視を実行するための時間間隔が、第２イベントの発生の影響として短縮される。第２イベントは、第１イベントに対してより高いハンドオーバ命令の受信の可能性を示すように定義される。
【００３８】
図５において、本発明の実施形態に従って、基地局２０における方法が示されている。基地局２０は、移動体通信ネットワークのサービス提供セル内に位置しており、当該セルでは、ＵＥ１０が予決定された時間間隔でダウンリンク通信を監視し及びパラメータ測定を実行する。まず、ｓ２００において、基地局２０は、第１イベントの発生が測定データ及び／若しくは報告、又は当該第１イベントの発生を示すメッセージをＵＥ１０から基地局２０へ送信する契機となるように、ＵＥ１０内の第１イベントを構成する。ｓ２１０では、基地局２０は、ＵＥ１０内の第２イベントを構成する。第２イベントの発生は、短縮された時間間隔で監視を実行させる原因となる。さらに、第２イベントは、第１イベントに対してより高い確率でのハンドオーバ命令のＵＥ１０への送信を示すように定義される。
【００３９】
図６は、ＤＲＸサイクルが使用される場合を例示する、本発明の一実施形態を描いた概念図である。一般的な従来技術の問題は、各第１イベントの発生後に、ＵＥ１０が、ネットワークからハンドオーバ命令が送信される可能性があるために監視の時間間隔を短縮することである。しかしながら、時間間隔の短縮を必要としない多くの他のアクションもネットワークにより実行され得るため、それは、多くの場合不必要に行われる。これは、不必要に高いＵＥの電源の消費をもたらす。
【００４０】
よって、本発明は、ＵＥ１０におけるより高いハンドオーバ命令の受信の可能性を示す固有の第２イベントを定義することにより、ハンドオーバの場合を他の場合と区別する。そのイベントは、それ自体、複数の異なるパラメータ設定又は構成について発生することができるが、そのいくつかについて後に説明する。第１及び第２イベントは共に、パラメータ測定に関連して定義される。
【００４１】
図７を参照すると、本発明の実施形態によれば、まず、ネットワークは、ＵＥ１０における非ＤＲＸモードに特有のイベント（Ｅ２）を構成する必要がある。当業者であれば、ＬＴＥの場合にはネットワーク基地局において構成が行われ得ることを理解するであろう。イベントＥ２については、次節で説明する。非ＤＲＸモードとは、ここでは、ＵＥ１０が継続的（即ち、サブフレーム若しくはＴＴＩごと）に又は短縮されたＤＲＸサイクルに従ってダウンリンクスケジューリング制御チャネルを監視することを意味する。ダウンリンク通信の監視は、従って、短縮された時間間隔で実行されるようになる。イベントの構成、及び短縮された時間間隔の構成は、測定制御メッセージ又はＲＲＸシグナリングを用いたいかなる他のシグナリングメッセージにおいても行われ得る。構成されるパラメータには、次のものが含まれ得る：
・ＵＥがそれを超えた場合に非ＤＲＸモードへ移行する、ダウンリンク測定品質閾値（Ｘ２）。ＬＴＥについては、ＲＳＲＱを当該測定パラメータとして使用することができる。ＷＣＤＭＡについては、ＣＰＩＣＨ  Ｅｘ／Ｎｏが関連する品質測定量であってよい。
・契機となる時間。この期間の間にＵＥ１０においてパラメータ測定が検証され、イベントの発生について構成された条件が１回よりも多くの回数充足されたことが確認される。ネットワーク基地局２０は、契機となる時間の間に続けて行われる測定のための条件を構成してもよく、その際に手段２１１〜２１３が使用され得る。
・イベントＥ２の後のＤＲＸサイクル長。これは、Ｅ２の前のＤＲＸサイクル／Ｍとして特定されることができ、Ｍはネットワークにより設定される。例えばＥ２の後のＤＲＸサイクル長＝０．５ｍｓというようにＭが設定されると、ＵＥ１０は継続的に監視を行い、又は完全接続モードへと移行する。従って、パラメータＭにより、ＵＥ１０がスケジューリング制御チャネルをイベントＥ２の発生後に監視する時間間隔の長さを指定することができる。
・スケジュールされていない場合のＵＥ１０がイベントＥ２の発生後に非ＤＲＸ状態のままでいる最小の時間量。これは、サブフレーム数、ＴＴＩ、フレーム、ＤＲＸサイクル長、又は単純に時間長としてのＮという表現によって指定され得る。
【００４２】
本発明の実施形態によれば、ＵＥ１０は、ハンドオーバ命令を受信する確実性がより高い場合にのみ、継続的に又は予設定された短縮されたＤＲＸサイクルに従って、スケジューリング制御チャネルを監視する。この手法の主な利点は、通常の測定報告イベント（Ｅ１）への応答としてハンドオーバ命令が必要でない場合に、ＵＥ１０がスケジューリング制御チャネルの連続的な監視によりその電力を浪費しないことである。
【００４３】
このとき、ＵＥ１０における追加的なイベントの構成が必要となる。図８において、パラメータ測定されたダウンリンク信号品質がイベントがいつ発生するかを定義するために使用される１つの例が示されている。イベント（Ｅ２）は、図示されているように、第１イベントの発生について構成された閾値レベルと比較して異なる閾値レベルにおいて発生するように、構成され得る。第２イベントは、１以上の測定量があるレベルを超えて悪化した場合に発生するよう構成されてもよい。一例として、新たなイベント（Ｅ２）は、ＵＥの送信電力がある閾値を上回り、ダウンリンクＳＩＮＲが他の閾値を下回った場合に発生してもよい。本発明に係る１つの実施形態において、第２イベントは、ユーザ機器の送信電力がある設定レベルを上回り、測定されたダウンリンク信号品質が他の設定レベルを下回ったときに発生する。また、ＵＥの受信電力は、イベントがいつ発生するかを定義するための適切なパラメータとして使用されてもよい。ＬＴＥについては、ＲＳＲＰがＵＥの受信電力の測定量であり、ＲＳＲＱがＵＥの受信品質の測定量であって、これらを組み合わせて又は独立的に使用してもよい。ＷＣＤＭＡについては、パラメータＣＰＩＣＨ  ＲＳＣＰ及びＣＰＩＣＨ  Ｅｃ／Ｎｏが、それぞれ適切なパラメータであり得る。上の通り、Ｅ２に使用される閾値は、Ｅ１に使用されるものと比較して異なってよい。
【００４４】
新たなイベント（Ｅ２）は、背景欄において説明されたもとの第１イベントよりもユーザ機器においてハンドオーバ命令を受信する確率が高いことを示すように定義される。
【００４５】
図８は、イベントＥ２の発現時のスケジューリングチャネルの継続的な（又はより短い予設定されたＤＲＸサイクルによる）監視をＵＥ１０が開始する様子を描いている。図示されているように、イベントＥ２のために設定された閾値は、イベントＥ１についてのものよりも高い。図８の例は、測定されたダウンリンク品質が第２イベントの発生の判定のために使用される実施例を描いている。ＬＴＥの場合には、パラメータＲＳＲＱを使用することができる。その発生が短縮された時間間隔で監視を実行する契機となる第２イベントは、サービス提供セルと近接セルとの間の測定されたダウンリンク品質における差異が設定されたレベルに到達した場合に発生する。第１イベントＥ１のみの発生は、監視の時間間隔におけるどういった変化も引き起こさない。
【００４６】
他の実施形態によれば、第２イベントは、測定されたダウンリンク品質がある設定されたレベルを下回る場合、又はユーザ機器の送信電力が他の設定されたレベルを上回る場合に発生するように構成される。よって、それらパラメータのいずれか１つがあるレベルに到達するとすぐに、第２イベントが発生する。また、上述したように、パラメータＲＳＲＱ及びＲＳＲＰは、ＬＴＥの場合において適切であり得る。なお、本説明で触れられた全てのパラメータは、第２イベントをいつ生じるかを定義するために、独立して使用されてもよく、また組み合わせて使用されてもよいことは理解されるであろう。例えば、第２イベントは、ユーザ機器の送信電力が予決定されたレベルを上回る場合に発生してもよい。
【００４７】
上述した例に基づき、当業者は、他のパラメータ構成及び組み合わせもまた第２イベントをいつ生じるかを決定するために使用されてよいことを理解するであろう。
【００４８】
契機となる時間についての異なる値が、上記２つのイベントについて使用され得る。前述したイベントＥ１は、通常の測定報告イベントである。イベントＥ１は、ハンドオーバの代わりに、他のキャリア上でのギャップ支援測定のみの契機となってもよい。また、それは、例えば、輻輳制御などの他の何らかのネットワーク動作をもたらすものであってもよい。第２イベント（Ｅ２）に基づく当該方法を利用する主な利点は、ハンドオーバ命令の受信の確率がより高いことから、ＵＥが電源消費のより効率的な使用をすることができることである。
【００４９】
可能性は低いものの、ＵＥ１０がイベントＥ２の発生後にハンドオーバ命令を受信しないことがあってもよい。しかし、この稀有なシナリオに対応するために、ＵＥ１０は、ネットワークにより設定されるある期間（例えばＮ個のサブフレーム又はフレームの後）にスケジューリングがなされない場合には、通常のＤＲＸサイクルに再び立ち戻ってもよい。
【００５０】
図９は、ＵＥが通常の測定報告である報告イベントＥ１の後に進行しているＤＲＸサイクルを維持する、本発明の一実施形態を示している。一方、ＵＥ１０は、報告イベントＥ２の後、非ＤＲＸモード（即ち、連続的な又はより短いＤＲＸサイクルでのスケジューリング制御チャネルの監視）に移行する。まず、ＵＥ１０は、ＵＥ１０がハンドオーバ命令を受信するためにスケジューリングされるリソースブロック、サブフレーム、フレーム番号などを含むスケジューリング情報を受信する。そして、ＵＥ１０は、最終的にはその割当てられたリソースブロック上でハンドオーバ命令を受信する。
【００５１】
本発明の上述した実施形態は、例を示すことのみを意図したものである。後に続く特許請求の範囲により定義される本発明の範囲から外れることなく、当業者による特定の実施形態の影響として、変更、修正及び変形がなされ得る。
【００５２】
例えば、上記説明はそれぞれ第１イベント及び第２イベントという用語を使用しているが、当業者は、第１及び第２の構成又は第１及び第２の設定などの用語が同様の効果について使用されてもよいことを理解するであろう。
【図１】
2010514343.tif 000003
【図２】
2010514343.tif 000004
【図３】
2010514343.tif 000005
【図４】
2010514343.tif 000006
【図５】
2010514343.tif 000007
【図６】
2010514343.tif 000008
【図７】
2010514343.tif 000009
【図８】
2010514343.tif 000010
【図９】
2010514343.tif 000011
【国際調査報告】
2010514343.tif 000012
2010514343.tif 000013
2010514343.tif 000014
2010514343.tif 000015